(57)【要約】【課題】ハンディタイプの美顔器において、施術領域を効果的に拡張したいという課題があった。【解決手段】顔面皮膚等に接触する２つの接触面２、３を、それぞれ所定の長さ（たとえば５０ｍｍ）を有する形状にし、所定の間隔（たとえば３０ｍｍ）をあけて略平行に配置する。これにより、２つの接触面２、３で挟まれた領域７が、相対的に広い面積の施術領域となる。さらに、施術領域７に対して、ＬＥＤ１１により光を照射する。【効果】皮膚に対して交流電流を流すと共に、光を照射することにより、両者の相乗作用で、皮膚細胞の活性化が促進される。その結果、肌のハリや艶を良好にする美顔器を提供できる。【選択図】図１
2007236699.tif 000002
【特許請求の範囲】
【請求項１】
使用者が手で握るためのグリップと、前記グリップに結合された作用部とを有するハンディタイプの美顔器であって、
前記作用部に備えられ、所定の間隔をあけて略平行に配置され、それぞれが所定の長さを有する長手形状の２つの接触面を有し、
前記２つの接触面は、当該接触面および接触面間に挟まれた領域が施術領域を形成しており、
前記グリップに内蔵され、前記２つの接触面に対して電圧を印加するための電圧印加回路と、
前記作用部に備えられ、前記施術領域に対し、所定の光を照射するためのＬＥＤと、
を含むことを特徴とするハンディタイプの美顔器。
【請求項２】
前記接触面は、回転自在なローラーの周面の一部により形成されていることを特徴とする、請求項１記載のハンディタイプの美顔器。
【発明の詳細な説明】
【技術分野】
【０００１】
この発明は、ハンディタイプの美顔器に関し、特に、皮膚に電流を流すことにより皮膚細胞の活性化を促進するようにしたハンディタイプの美顔器に関する。
【背景技術】
【０００２】
この発明の先行技術として、特許文献１に記載された美容器具、特許文献２に記載された低周波ローラー美容器および特許文献３に記載された皮膚を活性化させるための装置がある。
【０００３】
特許文献１〜３に記載の装置は、いずれも、軸方向に配列された２つのローラーを有していて、一方のローラーおよび他方のローラー間に微小な交流電流を与える構成になっている。
【０００４】
軸方向に配列された２つのローラーが、たとえば顔面に接触された状態では、一方のローラーから皮膚を通って他方のローラーへと、あるいは逆方向へと、微小な交流電流が流れ、この交流電流により皮膚細胞の活性化が促進される。その結果、肌のハリや艶が増すという効果を期待できるものである。
【特許文献１】特開２００３−５２８４１号公報
【特許文献２】実公平６−３６１８号公報
【特許文献３】特開平６−６３１５８号公報
【発明の開示】
【発明が解決しようとする課題】
【０００５】
特許文献１〜３に記載の従来の装置は、いずれも、軸方向にローラーが２つ並ぶように配置されており、当該２つのローラーが皮膚に接した状態において、一方のローラーから皮膚を介して他方のローラーへと、あるいは逆に他方のローラーから皮膚を介して一方のローラーへと交流電流が流れる。２つのローラー間の交流電流が流れる領域が、いわゆる施術領域であるが、２つのローラーは軸方向に配列されているから、施術領域は、ローラー軸線上の限られた細長い領域である。
【０００６】
そして、従来装置では、細長い直線状の施術領域が、ローラーの回転によって移動することによって、顔面皮膚全体を施術できるという構成である。
【０００７】
このように、従来装置は、施術領域がローラー軸線に沿った直線状の細い領域であるから、施術効率が悪く、ローラーを何度も往復移動させなければならない。
【０００８】
よって、この種の装置において、施術領域（施術面積）を効果的に拡張したいという課題があった。
【０００９】
この発明は、かかる課題を解決するためになされたものであり、施術面積の広いハンディタイプの美顔器を提供することを主たる目的とする。
【００１０】
また、この発明は、顔面に対して広がりのある電気施術を行えるハンディタイプの美顔器を提供することを他の目的とする。
【００１１】
この発明は、さらに、電流を流すことに加えて、光による治療を行い、治療効果が相乗的に発揮されるハンディタイプの美顔器を提供することを他の目的とする。
【課題を解決するための手段】
【００１２】
請求項１記載の発明は、使用者が手で握るためのグリップと、前記グリップに結合された作用部とを有するハンディタイプの美顔器であって、前記作用部に備えられ、所定の間隔をあけて略平行に配置され、それぞれが所定の長さを有する長手形状の２つの接触面を有し、前記２つの接触面は、当該接触面および接触面間に挟まれた領域が施術領域を形成しており、前記グリップに内蔵され、前記２つの接触面に対して電圧を印加するための電圧印加回路と、前記作用部に備えられ、前記施術領域に対し、所定の光を照射するためのＬＥＤと、を含むことを特徴とするハンディタイプの美顔器である。
【００１３】
請求項２記載の発明は、前記接触面は、回転自在なローラーの周面の一部により形成されていることを特徴とする、請求項１記載のハンディタイプの美顔器である。
【発明の効果】
【００１４】
請求項１記載の発明によれば、顔面皮膚等に接触する２つの接触面は、それぞれが所定の長さを有し、所定の間隔をあけて略平行に配置されている。このため、２つの接触面およびその間に挟まれた領域の面積は、相対的に広い面積である。この相対的に広い面積の領域が、この発明では施術領域を形成している。
【００１５】
なぜなら、２つの接触面が顔面の皮膚等に触れている状態において、２つの接触面間に、皮膚を介して電流が流れるが、接触面と接触面との間隔があいているため、皮膚の広い領域に電流が流れるからである。
【００１６】
つまり、この発明では、接触面を、所定の長さを有する２つの接触面とし、しかも２つの接触面を所定の間隔をあけて略平行に配置したことにより、施術領域を広く形成することができている。
【００１７】
さらに、広く形成された施術領域の中央部は、接触面と接触面とに挟まれた空間領域であり、妨げるものがない。この空間領域に、ＬＥＤからの光が照射される。それによって、施術領域では、電流が流れるとともに、その中央部にはＬＥＤから所定の光が与えられ、電流と、光による相乗作用で、皮膚細胞の活性化が促進される。それにより、肌のハリや艶の向上が期待できる。
【００１８】
請求項２記載の発明では、接触面がローラーの周面の一部により形成されているから、ローラーを回転移動させることにより、施術領域をスムーズに移動させ、顔面全域にわたって良好な施術を施すことが可能になる。
【００１９】
また、使い勝手が良く、操作性の良いハンディタイプの美顔器とすることができる。
【発明を実施するための最良の形態】
【００２０】
以下には、図面を参照して、この発明の実施形態について具体的に説明をする。
【００２１】
図１および図２は、この発明の一実施形態に係るハンディタイプの美顔器の構成を説明するための図解図である。図１は、施術領域を平面的に見た図を示しており、図２は、施術領域を側面から見た図を示している。
【００２２】
図１および図２を参照して説明すると、ハンディタイプの美顔器１には、第１接触面２および第２接触面３が備えられている。第１接触面２および第２接触面３は、使用者の顔面等の皮膚４に軽く圧接される面である。
【００２３】
この実施形態では、第１接触面２および第２接触面３は、共に、金属ローラー５、６の周面の一部により形成されている。
【００２４】
具体的には、金属ローラー５は、軸方向に長手をしたローラーであり、たとえばその軸方向長さは５０ｍｍ程度であって、直径が１０ｍｍ程度のローラーである。金属ローラー５は、たとえばステンレスで構成されており、導電性を有している。そして、金属ローラー５の外周面には、好ましくは細かく滑らかな凹凸（格子模様）が付されている。
【００２５】
金属ローラー６も、金属ローラー５と同様の構成である。そして、金属ローラー５と金属ローラー６とは、所定の間隔、たとえば３０〜３５ｍｍ程度の間隔をあけて、平行に配置されている。これにより、金属ローラー５、６間の空間、換言すれば第１接触面２および第２接触面３で挟まれた空間領域７は施術領域を形成している。
【００２６】
上記構成に代え、第１接触面２および第２接触面３の両方またはいずれか一方を、固定の金属（導電体）の細長い電極面としてもよい。
【００２７】
金属ローラー５、６は、電圧印加回路としての交流電源回路８とリード線９、１０等によって電気的に接続されている。交流電源回路８は、交流電圧、たとえば＋１Ｖ、−１Ｖ程度の交流の方形波を出力する回路であり、リード線９、１０を介して接続された金属ローラー５、６に上記交流電圧が印加されることにより、金属ローラー５、６が皮膚４と接触している場合に、金属ローラー５、６間を、皮膚４を介して交流電流が流れる。すなわち、金属ローラー５の第１接触面２と金属ローラー６の第２接触面３との間の施術領域７では、皮膚４に微小な交流電流が流れ、これによって、皮膚細胞の活性化が促進される。その結果、肌の艶やハリの向上が期待できる。
【００２８】
特に、この実施形態では、第１接触面２（金属ローラー５）および第２接触面３（金属ローラー６）が所定の長さ（たとえば５０ｍｍ程度）を有し、しかも両者は一定間隔（たとえば３０〜３５ｍｍ程度）をあけて平行に配置されているから、その間の領域７が施術領域となり、相対的に広範囲の領域７に交流電流を流すことができ、皮膚４に対する施術領域を効果的に広くすることができる。
【００２９】
さらに、この実施例に係る美顔器１には、複数個のＬＥＤ１１が備えられている。ＬＥＤ１１の発する光は第１接触面２および第２接触面３に挟まれた領域７に照射されるように配置されている。この実施形態では、領域７全体にＬＥＤ１１の光が照射されるように、領域７の長手方向にＬＥＤ１１が所定間隔あけて４つ配列された構成を示しているが、ＬＥＤ１１の配列は、これに限られるものではない。
【００３０】
たとえば、多数のＬＥＤ１１が金属ローラー５、６の軸方向に延びるＬＥＤアレイに配列されていて、ＬＥＤアレイに配列された多数のＬＥＤからの光が領域７に照射されるような構成としてもよい。また、ＬＥＤ１１は、１列ではなく、複数列に配置されていてもよい。また、領域７の面積が小さい場合、ＬＥＤ１１は１つであってもよい。
【００３１】
ＬＥＤ１１は、波長がたとえば８５０〜９５０ｎｍ程度の近赤外線を発するものを使用すると、皮膚細胞の活性化に効果がある。また、ＬＥＤ１１は、波長が６００〜７００ｎｍのオレンジ光ないし赤色光を発するものを使用すると、ユーザに対し温かなイメージを与える。なお、近赤外線を発するＬＥＤを使用する場合、ＬＥＤが発する光は視覚で確認できないので、ユーザがＬＥＤが点灯しているか否かを確認できない。そこで、近赤外線を発するＬＥＤおよびオレンジ光または赤色光を発するＬＥＤを、たとえば交互に配置し、近赤外線による皮膚細胞の活性化と、視覚に与える温かなイメージの両方を実現できる構成とするのが好ましい。
【００３２】
各ＬＥＤ１１は、直流電源回路１２とリード線１３、１４を介して直列に接続されており、直流電源回路１２から電力が供給されることにより光を照射する。
【００３３】
そして、交流電源回路８のリード線９と直流電源回路１２のリード線１３とには、たとえば、連動可能なスイッチ１５、１６が挿入されており、これらスイッチ１５、１６が切り換わることによって、金属ローラー５、６への交流電圧の供給およびＬＥＤ１１への直流電圧の供給が連動して行われるような構成であってもよい。
【００３４】
使用者の顔面の皮膚４は、金属ローラー５、６に交流電圧が与えられることによって、領域７において交流電流が流れ、かつ、領域７の中央部を中心にＬＥＤ１１から光が照射される。つまり、皮膚４は、施術領域７において、交流電流が流されて皮膚細胞の活性化が図られると共に、同時に、光によって皮膚細胞の活性化や新陳代謝が促進される。このように、交流電流と光との相乗作用により、美顔効果の向上されたハンディタイプの美顔器とすることができる。
【００３５】
上述の実施形態では、金属ローラー５、６に対し、交流電圧を与える構成を説明した。しかし、これに代え、金属ローラー５、６に対して、直流電圧を与える構成としてもよい。直流電圧が金属ローラー５、６間に印加され、金属ローラー５、６が皮膚と接すると、金属ローラー５、６間の皮膚に直流電流が流れる。交流電流に代え、皮膚に直流電流を流すことでも、皮膚細胞の活性化を図ることが可能である。
【００３６】
図３は、この発明の一実施形態に係るハンディタイプの美顔器１の外観構成の一例を表わす斜視図である。美顔器１には、使用者が手で握るためのグリップ２０と、グリップ２０の一端側に結合された作用部２１とを有している。この実施形態では、作用部２１は、対をなすアーム２２、２３を有しており、これらアーム２２、２３によって、２つの金属ローラー５および６が回転自在に支承されており、かつ、複数のＬＥＤ１１が配置されたＬＥＤアレイ２４が保持されている。
【００３７】
一対のアーム２２、２３は、グリップ２０の上方部と支持軸２５によって連結されており、支持軸２５を中心にグリップ２０に対して上部が前後に揺動可能になっている。かかる構成にすれば、グリップ２０に対する作用部２１の位置を変位でき、使用者が施術する顔面の向き等に合わせて使い易い向きに作用部２１を向けられ、使用性が向上するという利点がある。
【００３８】
その際、金属ローラー５、６およびＬＥＤ１１の位置関係は変化せず一定であるから、施術領域７に対して、常に良好に電流およびＬＥＤからの光を供給することが可能である。
【００３９】
グリップ２０には、操作・表示パネル２６が備えられており、当該パネル２６には前述した連動するスイッチ１５、１６の操作キー２７が設けられているのが好ましい。
【００４０】
この発明は、以上説明した実施形態に限定されるものではなく、請求項記載の範囲内において種々の変更が可能である。
【図面の簡単な説明】
【００４１】
【図１】この発明の一実施形態に係るハンディタイプの美顔器の図解図であり、施術領域を平面視した状態の図である。
【図２】この発明の一実施形態に係るハンディタイプの美顔器の図解図であり、施術領域７を側面視した図である。
【図３】この発明の一実施形態に係るハンディタイプの美顔器の外観構成例を示す斜視図である。
【符号の説明】
【００４２】
１    ハンディタイプの美顔器
２    第１接触面
３    第２接触面
５、６    金属ローラー
７    施術領域
８    交流電源回路
１１    ＬＥＤ
１２    直流電源回路
１５、１６    スイッチ
２０    グリップ
２１    作用部
２２、２３    アーム
２４    ＬＥＤアレイ
【図１】
2007236699.tif 000003
【図２】
2007236699.tif 000004
【図３】
2007236699.tif 000005